(57)【要約】  【課題】  設置スペースの小さい照明装置の構成を提供することを目的とする。  【解決手段】  スイッチと第１可動部とを含むスイッチ機構であって、前記スイッチが点灯制御する光源と、該光源の光の進行方向に配置される第１リフレクタとを前記第１可動部が備えるスイッチ機構と、前記第１可動部の周辺に備えられ、前記第１リフレクタが反射した前記光源の光を受光し、該受光した光を前方に反射する第２リフレクタと、を有し、前記第１可動部が第１状態及び第２状態となることが可能であり、前記第１可動部が前記第１状態から前記第２状態となることにより、前記スイッチがオン又はオフされる、照明装置とする。  【選択図】  図２
2006088881.tif 000002
【特許請求の範囲】
【請求項１】
第１状態から第２状態に移行することによって、スイッチのオンオフが切り換えられる第１可動部を含むスイッチ機構であって、該スイッチ機構が点灯制御する光源と、該光源の光放射側に配置される第１リフレクタとが前記第１可動部内に備えられるスイッチ機構と、
前記第１可動部の周辺に配置され、前記第１リフレクタが反射した前記光源の光を前方に反射する第２リフレクタと、
を備える、
照明装置。
【請求項２】
前記第１リフレクタが前記第１可動部と一体的に構成されている、ことを特徴とする請求項１に記載の照明装置。
【請求項３】
前記第１リフレクタが前記光源の光を前記第１可動部の側方の全方向へ反射する、ことを特徴とする請求項１又は２に記載の照明装置。
【請求項４】
前記第１リフレクタの形状が凸回転放物面形状又は凸円錐面形状である、ことを特徴とする請求項３に記載の照明装置。
【請求項５】
前記第２リフレクタの形状が前方に開口した放物面形状を含む形状である、ことを特徴とする請求項１〜４のいずれかに記載の照明装置。
【請求項６】
前記光源がＬＥＤであることを特徴とする、請求項１〜５のいずれかに記載の照明装置。
【請求項７】
前記光源とは独立して点灯制御される一又は複数の光源ユニットをさらに備える、請求項１〜６のいずれかに記載の照明装置。
【発明の詳細な説明】
【技術分野】
【０００１】
本発明は照明装置に関する。本発明は例えば、自動車のルームランプとして使用される。
【背景技術】
【０００２】
従来、車両のルームランプでは、天井に設けられた発光部（光源）の近傍に光源をオン／オフするためのスイッチが設けられるのが一般的である。
【発明の開示】
【発明が解決しようとする課題】
【０００３】
上記従来のルームランプは一般的に光源とスイッチが別個に設けられており、そのサイズが大きくなっていた。それに伴ってその設置スペースも大きくなっていた。一方で、ユーザーの車両の高級化志向等から車両のデザイン性の向上が要請されている。この点においても、光源とスイッチとを別個に設けることは不適当である。
そこで本発明は、小型でかつデザイン性に優れた照明装置を提供することを目的とする。
【課題を解決するための手段】
【０００４】
本発明は以上の目的を達成するために、以下の構成を提供する。即ち、
第１状態から第２状態に移行することによって、スイッチのオンオフが切り換えられる第１可動部を含むスイッチ機構であって、該スイッチ機構が点灯制御する光源と、該光源の光放射側に配置される第１リフレクタとが前記第１可動部内に備えられるスイッチ機構と、
前記第１可動部の周辺に配置され、前記第１リフレクタが反射した前記光源の光を前方に反射する第２リフレクタと、
を備える、
照明装置である。
【発明の効果】
【０００５】
本発明の構成では、スイッチ機構内に光源が内蔵される。即ち、スイッチ機構と光源が一体化されている。従って照明装置を小型に構成できる。その結果、照明装置の設置スペースがが小さくて済む。また、そのデザイン性を向上させることが可能となる。
【発明を実施するための最良の形態】
【０００６】
以下、本発明における照明装置の構成要素について詳細に検討する。
（スイッチ機構）
スイッチ機構は、第１可動部を備える。スイッチのオンオフは、第１可動部が第１状態から第２状態へと移行することにより行なわれる。スイッチの種類は特に限定されず、公知のものを採用できる。例えば、タクトスイッチ、プッシュスイッチ、スライドスイッチ又はロータリスイッチを採用できる。中でもタクトスイッチが好適に用いられる。タクトスイッチはストローク（スイッチ使用時にスイッチを押し込む距離あるいはスライドさせる距離）が比較的小さいため、第１可動部の移動範囲を小さくすることができるからである。
【０００７】
第１可動部は光源と第１リフレクタとを内蔵する。第１可動部の形状は、例えば、円柱、四角柱、六角柱などである。第１可動部の材質は特に限定されないが、第１リフレクタによる反射光の進路にあたる領域（反射光進路領域）の材質は透光性材料であることが好ましい。内蔵される光源の光を第１可動部から取り出すことができるからである。
有色透明の透光性材料により反射光進路領域を形成すること、又は反射光進路領域に色変換テープの貼付などによる色変換層を形成すること等によって、ＬＥＤの発光色を変換することができる。即ちこのような構成によれば、ＬＥＤ本来の発光色と異なる色の光を放出させることができる。
第１可動部を非透光過性材料で形成してもよい。かかる場合は光源の光を第１可動部の外へ取り出すことができるように第１可動部を構成する。第１可動部の形状は反射光進路領域となる空間を備え、かつ十分な剛性が得られる形状であることが好ましい。例えば、第１可動部の形状を中空の円柱状とし、その側壁を２、３、４又は６本の柱によって形成することが好ましい。光源の光をより効率的に取り出すことができるからである。
第１可動部が第１状態から第２状態に移行することによって、スイッチのオンオフが切り換えられる。例えば、スイッチとしてタクトスイッチを用いた場合は、第１可動部とタクトスイッチとが隔離された状態（第１状態）から、第１可動部とスイッチとが接触部で接触しスイッチが押下された状態（第２状態）へ移行することによりスイッチがオンオフされる。通常、第１可動部の移行は操作者が手動で行なうことができる。
【０００８】
光源は第１可動部に内蔵される。光源の種類は特に限定されず、例えば、ＬＥＤ、電球（バルブ）、蛍光灯、冷陰極管などをここでの光源として用いることができる。中でもＬＥＤを用いることが好ましい。ＬＥＤは小型であるため光源用のスペースが少なくて済むという利点を有する。またＬＥＤは消費電力が小さいことから省エネルギー化の要請にも沿うものである。更にＬＥＤは発熱量が小さく周りの部材に与える影響が少ないといった利点も併せ持つ。加えてＬＥＤは長寿命であるからメンテナンスの面などからも有利なものとなる。更に言えば、ＬＥＤは振動、衝撃に強いことから信頼性の高い光源を構成できるといった利点もある。ＬＥＤのタイプは特に限定されず、砲弾型、ＳＭＤ型等、種々のものを採用できる。尚、光源として複数のＬＥＤを用いても良い。ＬＥＤの発光色も特に限定されず、白、赤、緑、青等の光を発生するＬＥＤを採用できる。
【０００９】
第１リフレクタは第１可動部に内蔵され、光源の光放射側に配置される。第１リフレクタの材質は光源の光を反射する材質であれば特に限定されない。例えば、白色系のＡＢＳ樹脂、ポリカーボネート樹脂など白色系の合成樹脂や、アルミ等の金属等を例示することができる。あるいは光反射性テープの貼付や、光反射性の塗料の塗布等によって形成される光反射面を第１リフレクタとしてもよい。第１リフレクタの形状は、光源の光を後述する第２リフレクタの方向へ反射可能であればよい。好ましくは、光源の光を第１可動部の側方の多方向に反射する形状である。光源の光を多方向に反射することにより、広い範囲を照明することができるからである。第１リフレクタの形状としては、例えば、凸回転放物面形状、凸円錐形状、凸楕円錐形状、凸多角錐形状（凸三角錐形状、凸四角錐形状、凸六角錐形状などを含む）又はこれらの形状を組み合わせたものがあげられる。第１リフレクタの形状を凸回転放物面形状とする場合には、該凸回転放物面の回転軸が光源の光軸上となるように第１リフレクタを配置することが好ましい。かかる構成よると、第１可動部の側方の全方向へ光源の光を反射することができ、より一層広い範囲を照明することができるからである。
【００１０】
第１リフレクタを第１可動部と一体的に構成してもよい。例えば、第１可動部の形状を中空の円柱状として、上壁面に光源を配置し、底壁面に第１リフレクタを形成する。かかる構成によると部品数の削減、取り付け作業の効率化等の効果が奏される。
【００１１】
（第２リフレクタ）
第２リフレクタは第１可動部の周辺に配置される。好ましくは、第１可動部の側方の全方向を取り囲むように第２リフレクタが配置される。第１リフレクタによる反射光を効率的に受光するためである。第２リフレクタは第１リフレクタによる反射光を受光し、前方に反射する。即ち、照明装置の前方が照明領域となる。第２リフレクタの材質は第１リフレクタによる反射光を反射する材質であれば特に限定されず、例えば、第１リフレクタの材質と同様の材質であってよい。第２リフレクタの形状は第１リフレクタによる反射光を前方に反射できれば特に限定されない。第２リフレクタの形状は、前方に開口した放物面形状や、前方に開口した放物面に略沿った階段形状を含む形状等を例示できる。このようにすると、第１リフレクタによる反射光を効率的に前方へ反射できる。第２リフレクタの形状は異なる形状を組み合わせた形状であってもよい。例えば、第１可動部近傍領域を平面形状とし、第１可動部遠位領域を前方に開口した放物面形状としてもよい。
【００１２】
以下に、実施例を用いて本発明をより詳細に説明する。
【実施例１】
【００１３】
本発明の一の実施例である照明装置１の斜視図を図１に示す。図１における照明装置１のＡ−Ａ縦断面図を図２に示す。
照明装置１は車両室内の天井に設置される。照明装置１はスイッチ機構２、第２リフレクタ３、光放出面４、光源ユニット５及びカバー６を備える。
図２に示したように、スイッチ機構２はタクトタクトスイッチ７と第１可動部２１とからなる。タクトタクトスイッチ７はプレート７１により固定され、第１可動部２１の後方に配置されている。タクトスイッチ７のオンオフによりＬＥＤ２２の発光が制御される。第１可動部２１は下部２５、側部２６、上部２７からなる中空の円柱状である（図２及び図３参照）。側部２６の材質は無色透明のアクリル樹脂、下部２５の材質はＡＢＳ樹脂、上部２７はＡｌである。
【００１４】
第１可動部２１の内部には光源としてＬＥＤ２２が備えられ、光放射方向が下部２５の方向となるようにＬＥＤ２２が備えられている。ＬＥＤ２２はＳＭＤ型のＬＥＤであって、基板２３にマウントされている。基板２３の表面には配線パターン及び電源線（図示せず）が形成されており、この配線パターン等を介してＬＥＤ２２へ給電される。第１可動部２１の下部２５は白色のＡＢＳ樹脂により形成され、下部２５の第１可動部２１の内側の壁面が第１リフレクタ２４となる。第１リフレクタ２４の形状は放物線を回転軸２９で回転させてできる凸回転放物面形状である。図３Ａ及びＢに示すように回転軸２９を含む第１リフレクタの断面は、同じ曲率の放物線を二つ繋いだ凸形状である。第１リフレクタ２４は、その凸回転放物面の回転軸２９がＬＥＤ２２の光軸上に位置するように配置される。
【００１５】
次に図３Ａ及びＢを用いてスイッチ機構の動作を説明する。図３Ａは第１可動部２１とタクトスイッチ７とが隔離された状態（第１状態）を示すＡ−Ａ縦断面図である。図３Ｂは接触部７２が押し込まれた状態（第２状態）を示すＡ−Ａ縦断面図である。第１可動部２１の上部２７とプレート７１との間には４つのばね２８が配置される。図３Ａに示した第１状態の第１可動部２１に対してタクトスイッチ７の方向へ力が付加されると、ばね２８が収縮し第１可動部２１がタクトスイッチ７の方向へ移動し、図３Ｂに示す第２状態となる。第１可動部２１への力の付加が解除されると、ばね２８の復元力によって第１可動部２１は図３Ａに示す初期状態（第１状態）となる。第１可動部２１の第１状態から第２状態への移動距離は、タクトスイッチ７のストロークに対応して０．５〜２．０ｍｍである。
【００１６】
第１可動部２１の側方を取り囲むように第２リフレクタ３が配置される。第２リフレクタ３は白色のＡＢＳ樹脂製でその表面は光反射性を有する。第２リフレクタ３の形状は、第１可動部２１近傍の領域は下部２５に略平行な平面形状であり、隣接する光源ユニット５近傍の領域は前方に開口した放物面形状である。
また、図１に示すように照明装置１は四隅に光源ユニット５を備える。光源ユニット５はＬＥＤ（図示せず）の光放出側にレンズを備える光源５１と、光源５１と電気的に接続されたスイッチ５２を備える。
照明装置１の前面側（操作者側）には光放出面４が備えられる。光放出面４は、照明装置１の前面側の内、第１可動部２１の下部２５を除く領域に配置される。光放出面４の材質は光透過性の乳白色のポリカーボネート樹脂である。光放出面４の前面には光拡散処理としてシボ加工が施されている。
【００１７】
次に照明装置１の照明態様を説明する。まず、操作者が第１可動部２１の下部２５を押下することにより、ばね２８が縮み、図３Ａに示す第１状態であった第１可動部２１がタクトスイッチ７の方向へ移動し、図３Ｂに示す第２状態となる。これによりタクトスイッチ７がオンとなり、ＬＥＤ２２が発光する。ＬＥＤ２２の光は第１リフレクタ２４の方向へ進行し、第１リフレクタ２４により第１可動部２１の側方の全方向へ反射される。第１リフレクタ２４による反射光は、第１可動部２１の側部２６を透過し第２リフレクタ３の方向へ進行する。第２リフレクタ３の方向へ進行した光は、第２リフレクタ３によって前方へ反射される。第２リフレクタ３による反射光は光透過面５を透過して車両室内を照明する。即ち、ＬＥＤ２２に光は車両のルームランプとして使用される。なお、ＬＥＤ２２が点灯すれば、操作者は下部２５の押下を解除してよい。解除後はばね２８の復元力により、第１可動部２１は第２状態から第１状態となる。
ＬＥＤ２２を消灯する際は、下部２５を再度押下することにより第１可動部２１を第２状態とする。これによりタクトスイッチ７の接触部７２が押し込まれタクトスイッチ７がオフとなりＬＥＤ２２が消灯する。消灯後は、点灯後と同様に消灯後すぐに下部２５の押下を解除してよい。ばね２８の復元力により第１可動部２１は第１状態へ戻る。
【００１８】
一方、光源ユニット５の発光はＬＥＤ２２の発光と独立して制御されており、光源ユニット５のスイッチ５２をオンにすると光源５１が発光する。光源５１の光は光放出面４から放出される。４つの光源５１は運転席、助手席、左後部座席及び右後部座席のそれぞれの乗員の手元を照明するマップランプとして使用される。
【００１９】
なお、照明装置１では光放出面４を乳白色のポリカーボネート樹脂で形成したが、有色の光透過性部材を用いることや色変換層を形成すること等によって、ＬＥＤ２２又は光源５１の発光色を変換することもできる。即ちこのような構成によれば、ＬＥＤ本来の発光色と異なる色の光を放出させることができる。また、光放出面４の前面に光拡散処理としてシボ加工を施したが、ブラスト処理など、公知の方法により光拡散処理を施してもよい。さらに、光拡散処理を光放出面４の裏面、即ち内側の面に施してもよい。光拡散処理は光放出面４全面またはその裏面全面に施してもよいし、それらの一部分のみに施しても良い。また、光放出面４またはその裏面に施される光拡散処理は、均一なものであってもよいし一部に他と異なる光拡散処理を施してもよい。例えば、光放出面４の内、ＬＥＤ２２の光が放出される領域に光拡散処理を施し、光源ユニット５の光を放出する領域には光拡散処理を施さなくてもよい。或いは、ＬＥＤ２２の光が放出される領域に施された光拡散処理とは異なる光拡散処理を光源ユニット５の光が放出される領域に施してもよい。
【００２０】
上記照明装置１ではＬＥＤ２２の点灯制御とは独立してその点灯が制御される光源ユニット５を使用したが、図４に光源ユニット５を使用しない照明装置１０を示す。この例の照明装置１０でも照明装置１と同様に、ＬＥＤ２２の発光により車両室内を照明するルームランプとして使用することができる。
【産業上の利用可能性】
【００２１】
本発明の照明装置は、例えば車両室内をはじめとして、居室内などの照明にその利用が図られる。
【００２２】
本発明は、上記発明の実施の形態及び実施例に何ら限定されるものではない。特許請求の範囲の記載を逸脱せず、当業者が容易に想到できる範囲で種々の変形態様もこの発明に含まれる。
【図面の簡単な説明】
【００２３】
【図１】図１は本発明の一の実施例である照明装置１の斜視図である。
【図２】図２は図１における照明装置１のＡ−Ａ縦断面図である。
【図３】図３Ａは第１可動部２１とタクトスイッチ７とが隔離された状態（第１状態）を示すＡ−Ａ縦断面図である。図３Ｂは接触部７２が押し込まれた状態（第２状態）を示すＡ−Ａ縦断面図である。
【図４】図４Ａは本発明の他の実施例である照明装置１０の斜視図である。図４Ｂは図４ＡのＢ−Ｂ断面図である。
【符号の説明】
【００２４】
１  １０  照明装置
２  スイッチ機構
２１  第１可動部
２２  ＬＥＤ
２４  第１リフレクタ
２８  ばね
３  ３１  第２リフレクタ
４  ４１  光透過面
５  光源ユニット
６  ６１  カバー
７  タクトスイッチ
【図１】
2006088881.tif 000003
【図２】
2006088881.tif 000004
【図３】
2006088881.tif 000005
【図４】
2006088881.tif 000006